(57)【特許請求の範囲】
【請求項１】
分電盤に設置され母線と接続される回路遮断器の端子構造であって、
回路遮断器の器体に、
分電盤の母線から電気を受電する電源側端子のうち一方の電源側端子について母線との接続位置が可変とされ分電盤の各相の母線のうち所定の母線を選択して接続する可動電源側端子と、
母線と電源側端子とが接続されることにより前記分電盤において印加され得る複数の電源電圧を予め表示した電圧表示部とを備えるとともに、
前記可動電源側端子と連動される連動部材と係合され、前記可動電源側端子の接続位置の移動に伴って、前記電圧表示部のうち、前記所定の母線と可動電源側端子の接続時において実際には印加されない電源電圧の表示を隠蔽する隠し板とを備え、
前記回路遮断器を分電盤から取り外した状態で、
前記可動電源側端子を一方の接続位置から他方の接続位置に移動させることに伴い前記隠し板が連動し、
前記可動電源側端子の一方の接続位置および他方の接続位置は、
回路遮断器の並設方向を器体の幅方向としたとき、
該幅方向の一端および他端に設けられ、
該可動電源側端子と連動する隠し板が、該可動電源側端子が前記一端に位置するときは前記他端に位置する一方、該可動電源側端子が前記他端に位置するときは前記一端に位置し、
前記器体の幅方向における両端の周縁部には、
前記隠し板がいずれかの端部に位置したときに当接する壁部を形成して、
隠し板における一方の端部側の側面が露出しないよう構成して、
前記電圧表示部における所定の母線から回路遮断器に実際に印加される電圧の表示が外部から視認可能に露出することを特徴とする回路遮断器の端子構造。
【発明の詳細な説明】
【技術分野】
【０００１】
本発明は、分電盤に設けられる母線と電気的に接続される回路遮断器の端子構造に関し、詳しくは、各相の母線のうち接続に必要な母線を選択的に接続する選択式端子装置を有した回路遮断器の端子構造に係る。
【背景技術】
【０００２】
回路遮断器の端子装置と母線を選択的に接続する例として、
例えば特許文献１及び特許文献２のように、母線側に、回路遮断器の端子と接続する母線を選択的に切替える切替装置を設けたものがある。
【０００３】
特許文献１においては、図１４に示したように、主電路を形成するブスバー（特許文献１の符号１、２、３）と、回路遮断器の端子に接続されるブスバーの足部（特許文献１の符号１０１、３０１、６０１等）の間に、切替装置を設けて構成している。この切替装置は、該切替装置を構成する接続バー（特許文献１の符号６）に設けられた長穴（特許文献１の符号６０２）と切替片（特許文献１の符号８）の穴部に共に貫通させた切替ネジ（特許文献１の符号７）の位置を前記長穴の一端もしくは他端に移動させて導通させる導体を選択し回路遮断器の端子に接続される導体を切替えて、回路遮断器に供給する電圧を変更するものである。
【０００４】
特許文献２においては、図１５に示したように、特許文献１と同じく、主電路を形成するブスバー（特許文献２の符号１１、１２、１３）と、回路遮断器の端子に接続されるブスバーの接続部（特許文献２の符号１３０１、２００１等）の間に、切替装置を設けて構成している。そして切替装置を構成する送り板（特許文献２の符号２０）に設けられた長穴部と筒状導体子（特許文献２の符号１８）に共に貫通させたねじ（特許文献２の符号１７）の位置を前記長穴の一端もしくは他端に移動させて導通させる導体を選択し回路遮断器の端子に接続されるブスバーを切替えて、回路遮断器に供給する電圧を変更するものである。
【先行技術文献】
【特許文献】
【０００５】
【特許文献１】特開平９−２７１１０８
【特許文献２】特開２００２−１３５９１２
【発明の概要】
【発明が解決しようとする課題】
【０００６】
上述した、母線側に、回路遮断器の端子と接続する母線を選択的に切替える切替装置を設けたものにあっては、次に示したような課題がある。切替装置における切替部を模式的に示した図１６を参照して説明するが、切替の状態を表す長穴の部分に位置するねじ頭に着目すると、（ａ）については、それぞれのねじ頭の並びが規則的であり、回路遮断器に外部の導体のうちどの導体が接続されているのかが一見して把握できる。ここで、一部分の導体について接続を切替えた場合を示した（ｂ）については、図中右側に位置するねじ頭の並び方が左側や中央部分の他のねじ頭の並び方とは変わっており、並び具合を見ることで、選択されている導体が変わっていることが把握できる。ところが、多くの導体について接続を切替えた場合を示した（ｃ）については、ねじ頭の並び方がまちまちで全体的に不規則となり、回路遮断器にどの導体が接続されているのかが非常に把握しづらいものとなる。
【０００７】
このため、接続する外部の導体のうち、一部分の導体のみ接続を変更した場合には、どの導体を回路遮断器に接続しているのかは容易に把握できるが、接続を変更した導体の数が増えてくると、一転して把握が難しくなり、作業をする者にとっては、接続を行うときや接続後に確認を行う場合において誤解が生じやすくなるおそれがあった。また、回路遮断器に供給される電圧を把握することも容易には行いにくく、回路遮断器に誤った導体を選択して接続した場合には負荷側の電路に不用な電圧が供給されることになり、その場合には負荷側の配線や電気機器に損傷が生じてしまうおそれがある。また、多数のねじの切替を要することから作業性の改善が望まれている。
【０００８】
一方、電圧を変更するときに、切り替えのためのねじを緩めて切替え装置を移動させるときに、ブスバーの足部１０１、３０１、ブスバーの接続部２００１、１６０１は回路遮断器に接続されているままなので、不要な力が加えられると、回路遮断器の端子にも力が加わり、端子の緩みや破損、電気的な不良が生ずるおそれがある。
【０００９】
そこで、本発明は、上記問題に鑑みてなされたもので、
回路遮断器における端子装置により母線を選択的に接続する場合や、前記端子装置と母線を接続した後であっても、複数の回路遮断器に対して、どの回路遮断器がどの母線を選択して接続しているのかを回路遮断器の前面側から直接的に把握しやすく、
さらに、接続状態を切替える際に工具を不要として作業性の向上が望め、
回路遮断器に選択的に印加される電圧が端子装置の位置に応じて明確に把握できて、
さらに、回路遮断器の端子部にブスバーの足部や接続部が接続された状態では電圧の変更が行えず、端子部の電気的な不良が発生しにくく、
作業をする者にとって接続母線や供給電圧の誤認を生じさせにくい選択式端子装置を有した回路遮断器の端子構造を提供することを目的とする。
【課題を解決するための手段】
【００１０】
本発明に係る回路遮断器の端子構造は、上述の課題を解決すべく構成されたもので、回路遮断器の器体に、分電盤の母線から電気を受電する電源側端子のうち一方の電源側端子について母線との接続位置が可変とされ分電盤の各相の母線のうち所定の母線を選択して接続する可動電源側端子と、母線と電源側端子とが接続されることにより前記分電盤において印加され得る複数の電源電圧を予め表示した電圧表示部とを備えるとともに、前記可動電源側端子と連動される連動部材と係合され、前記可動電源側端子の接続位置の移動に伴って、前記電圧表示部のうち、前記所定の母線と可動電源側端子の接続時において実際には印加されない電源電圧の表示を隠蔽する隠し板とを備え、前記回路遮断器を分電盤から取り外した状態で、前記可動電源側端子を一方の接続位置から他方の接続位置に移動させることに伴い前記隠し板が連動し、前記可動電源側端子の一方の接続位置および他方の接続位置は、回路遮断器の並設方向を器体の幅方向としたとき、該幅方向の一端および他端に設けられ、該可動電源側端子と連動する隠し板が、該可動電源側端子が前記一端に位置するときは前記他端に位置する一方、該可動電源側端子が前記他端に位置するときは前記一端に位置し、前記器体の幅方向における両端の周縁部には、前記隠し板がいずれかの端部に位置したときに当接する壁部を形成して、隠し板における一方の端部側の側面が露出しないよう構成して、前記電圧表示部における所定の母線から回路遮断器に実際に印加される電圧の表示が外部から視認可能に露出することを特徴として回路遮断器の端子構造を構成するとよい。
【００１１】
かかる構成によれば、前記可動電源側端子の移動に伴って隠し板が連動し、可動電源側端子の位置に応じて実際にどの母線が選択されているのか、また、印加される電圧の表示が外部から直接視認可能になるため、作業者にとっては、回路遮断器が接続される母線や供給される電圧値の確認を行いやすい回路遮断器の端子構造を提供できる。
【００１２】
削除
【００１３】
また、前記器体の幅方向の全面に亘って電圧表示部を形成できて、供給電圧を外部から確認するときに視認性が向上できる。また、前記隠し板の側面が壁部によって隠蔽され、隠し板と器体とを一体化させることにより、表示部を目立たせることができ、表示される電圧値がより明確に把握しやすい回路遮断器の端子構造を提供できる。
【発明の効果】
【００１４】
以上の如く、本発明によれば、回路遮断器における端子装置により母線を選択的に接続する場合や、前記端子装置と母線を接続した後であっても、複数の回路遮断器に対して、どの回路遮断器がどの母線を選択して接続しているのかを回路遮断器の前面側から直接的に把握しやすく、さらに、接続状態を切替える際に工具を不要として作業性の向上が望め、回路遮断器に選択的に印加される電圧が端子装置の位置に応じて明確に把握できて、さらに、回路遮断器の端子部にブスバーの足部や接続部が接続された状態では電圧の変更が行えず、端子部の電気的な不良が発生しにくく、作業をする者にとって接続母線や供給電圧の誤認を生じさせにくい選択式端子装置を有した回路遮断器の端子構造を提供することができる。
【図面の簡単な説明】
【００１５】
【図１】第１の実施形態を示す回路遮断器の外観斜視図を示す。
【図２】同実施形態に係る回路遮断器の内部構成図を示す。
【図３】同実施形態に係る回路遮断器の可動電源側端子部を示す。
【図４】同実施形態に係る回路遮断器の端子を示す。
【図５】同実施形態に係る第二の操作部を示す。
【図６】同実施形態に係る第二の操作部と移動方向反転手段と可動電源側端子部を組み合わせる図を示す。
【図７】同実施形態に係る第二の操作部と移動方向反転手段と可動電源側端子部を回路遮断器の器体に組み合わせた図を示す。
【図８】同実施形態に係る可動電源側端子部のそれぞれの接続位置を示す。
【図９】同実施形態に係る可動電源側端子部のそれぞれの接続位置を示す。
【図１０】同実施形態に係る可動電源側端子部のそれぞれの接続位置を示す。
【図１１】複数の回路遮断器を並設した場合の外観図を示す。
【図１２】従来の接続状態を表わした図を示す。
【図１３】従来の接続状態を表わした図を示す。
【図１４】従来の接続状態における複数個所で切替を行った図を示す。
【発明を実施するための最良の形態】
【００１６】
次に本発明の実施形態を図面にて詳細に説明する。
（第１の実施形態）
まず、第１の実施形態に係る回路遮断器について、図１乃至図８を用いてその構成を説明する。
第１の実施形態に係る回路遮断器１は、単相３線式の商用電路に用いられるものである。該回路遮断器は、図１及び図２に示すように、回路遮断器１を並設する方向を幅方向としたときに、該幅方向に分割するケース１０１ａ及び１０１ｂを重ね合わせて構成される略箱体形状の器体を有する。そして、該器体には、回路遮断器１に電源を供給するための各極の導体と接続される電源側端子部１０２Ａ、１０２Ｂと、回路遮断器１の負荷側に電源を供給するための各極の導体と接続される負荷側端子部１０３Ａ、１０３Ｂとが設けられ、これら電源側端子部１０２Ａ、１０２Ｂと負荷側端子部１０３Ａ、１０３Ｂとの間を電気的に接続する各極の主導体に介在し、電源側と負荷側を電気的に入切接続する固定接点と、該固定接点と各々接離自在に対向する可動接点を固着した可動接触子と、これら可動接触子を開閉駆動する開閉機構と、該開閉機構とリンクにより接続され器体の外部から開閉機構を操作して、電路を入切操作する第一の操作部となるハンドル１０４とが配設されている。
【００１７】
次に、電源側端子部１０２Ａ、１０２Ｂについて説明を行う。
前記電源側端子部１０２Ａ、１０２Ｂは、器体の操作部が設けられた面を前面ａとし、分電盤への取付面となる前記前面ａに対向する面を背面ｂとし、該前面ａと該背面ｂとに相隣り合う面を側面ｃとしたときに、器体の長手方向における側面ｃの一端に、ケース１０１ａ、１０１ｂの間に挟み込まれるように設けられている。
【００１８】
電源側端子部のうち１０２Ａは器体に固定されて配設される端子部（固定端子部という）で、１０２Ｂは器体の前記幅方向において、一方の側面側の端部と、他方の側面側の端部の２箇所の間で連続的に往復移動が行えるよう、器体の側面に設けた窪み部分に配設される端子部（可動電源側端子部という）である。
【００１９】
（可動電源側端子部の構造）
器体の電源側には、前記固定されて配設される端子部１０２Ａ並びに移動可能に設けられる可動電源側端子部１０２Ｂのそれぞれの位置に対応するよう、分電盤内に予め３本の母線Ｌ１、Ｌ２、Ｎの接続部が配置されており、前記固定端子部１０２Ａは、母線Ｌ２と接続され、前記可動電源側端子部１０２Ｂは、一方の位置の場合は所定の母線Ｌ１と接続され、他方の位置の場合は所定の母線Ｎと接続される。可動電源側端子部１０２Ｂが母線Ｌ１と接続される場合には、回路遮断器１には２００Ｖの電圧が印加され、可動電源側端子部１０２Ｂが母線Ｎと接続される場合には、回路遮断器１には１００Ｖの電圧が印加される。
【００２０】
また、単相３線式の相バランスを整えるため、固定端子部１０２Ａを母線Ｌ１と接続する場合には、可動電源側端子部１０２Ｂは、一方の位置の場合は母線Ｌ２と接続され、他方の位置の場合は母線Ｎと接続される。そして、可動電源側端子部１０２Ｂが母線Ｌ２と接続される場合には、回路遮断器１には２００Ｖの電圧が印加され、可動電源側端子部１０２Ｂが母線Ｎと接続される場合には、回路遮断器１には１００Ｖの電圧が印加される。
【００２１】
図３及び図４には、前記可動電源側端子部１０２Ｂと、該可動電源側端子部１０２Ｂに収納される刃受１０２Ｂ３を示している。前記固定端子部１０２Ａ並びに可動電源側端子部１０２Ｂは、その内部に、母線と接続するための端子として、断面が略徳利状の略コの字状の先部を絞った形状に成形された刃受を収納している。図３及び図４には、前記可動電源側端子部１０２Ｂと、該可動電源側端子部１０２Ｂに収納される刃受１０２Ｂ３を示している。該刃受は前記絞った形状の部分で母線を挟み込み、負荷側に電源を供給する。
【００２２】
可動電源側端子部１０２Ｂは、その外郭が刃受１０２Ｂ３とは電気的に接続されていない非充電部として構成されている。外郭の前面側には、複数の歯を設けたラック１０２Ｂ１を形成しており、該可動電源側端子部１０２Ｂの移動操作を、後述する隠し板１０５に伝達する役割を果たす。また、外郭の背面側には、幅方向に長形状のリブ１０２Ｂ２が設けられており、このリブ１０２Ｂ２が、器体側に設けられた溝部１０１ｃと嵌め合わされることにより、可動電源側端子部１０２Ｂが幅方向に往復移動する際のガイド部として働く。
【００２３】
（電圧表示部の構造）
器体の前面側には、電圧表示部１０７が外部から視認可能に設けられている。該電圧表示部１０７は、器体の幅方向に亘って設けられており、分電盤において回路遮断器に印加され得る電圧値を中央部分で種別して記載している。印加され得る電圧値は、母線と可動電源側端子部１０２Ｂの接続位置に応じて回路遮断器１に供給される電圧値であり、本実施形態の場合には、略中央から一方の側面寄りには第一の供給電圧である１００Ｖの文字が表示され、略中央から他方の側面寄りには第二の供給電圧である２００Ｖの文字が表示される。前記電圧表示部１０７は、電圧表示を銘板に記載し、器体に貼り付けることにより構成している。なお、器体に直接印字したり刻印してもよい。
【００２４】
（隠し板の構造）
次に、可動電源側端子部１０２Ｂと連動される連動部材と係合され、前記可動電源側端子の接続位置の移動に伴って、前記電圧表示部のうち、前記所定の母線と可動電源側端子の接続時において実際には印加されない電源電圧の表示を隠蔽する隠し板１０５について説明を行う。
【００２５】
隠し板１０５は、前記器体の前面側に設けられ、該隠し板１０５の背面側に電圧表示部１０７が位置する。該隠し板１０５は、器体の幅方向における長さの略半分の大きさに形成された長四角形状のベースと、該ベースの背面側に設けられた複数の歯を設けたラック１０５ｂとを備えている。ラック１０５ｂは、ベースに形成した長形状のリブ１０５ｂ１の端部に、該リブ１０５ｂ１よりも幅広状に形成されており、該リブ１０５ｂ１を器体に設けられた開口部１０１ｂ３に嵌め込み取付けた際に、幅方向に移動させるためのガイド部として働くとともに、前記ラック１０５ｂが前面側への抜止めとして働く。
【００２６】
前記隠し板１０５は、後述するピニオン１０６により、可動電源側端子部１０２Ｂの移動と連動して、器体の幅方向における一方の側面寄りと、他方の側面寄りの２箇所の間で連続的に往復移動を行う。そして、それぞれの一方の側面寄りの位置、及び他方の側面寄りの位置において、前記ベースにより、該ベースの背面となる部分に位置する電圧表示部１０７、即ち、可動電源側端子部１０２Ｂが位置しない側における器体の前面ａ側に設けられた電圧表示部１０７を隠蔽する。前述のベースの背面となる部分に位置する電圧表示部は、該ベースに隠蔽されて前面側からは視認できず、ベースに隠蔽されない部分に位置する電圧表示部は前面側から視認可能となる。隠蔽される側の電圧値は、実際には印加されない電圧値で、外部に露出する電圧値は実際に印加される電圧値である。
【００２７】
次に、可動電源側端子部１０２Ｂと隠し板１０５とを連動させるピニオン１０６について説明を行う。
該ピニオン１０６は、軸１０６ａの周囲に複数の歯を設けて形成されている。該歯は、前記隠し板１０５に設けられたラック１０５ｂ、並びに前記可動電源側端子部１０２Ｂに設けられたラック１０２Ｂ１と噛み合うように、隠し板１０５に設けられたラック１０５ｂと前記可動電源側端子部１０２Ｂに設けられたラック１０２Ｂ１との間に位置するよう配設される。前記ピニオン１０６は、回路遮断器の器体の前面寄りに、該器体の一部を凹ませて形成した軸受部１０１ｄに軸１０６ａが枢支されて配設される。
【００２８】
図７に、これら隠し板１０５とピニオン１０６と可動電源側端子部１０２Ｂとの器体への配置状態を一部断面にて示した。
図７のように、隠し板１０５と可動電源側端子部１０２ｂとの間にピニオン１０６が配置され、それぞれのラック１０５ｂ、１０２Ｂ１と、器体により枢支された軸１０６ａが回動することにより、可動電源側端子部１０２Ｂを一方の接続位置から他方の接続位置に移動させることに伴い、前記隠し板１０５が連動する。より詳しくは、該可動電源側端子１２０Ｂと連動する隠し板１０５が、該可動電源側端子１０２Ｂが前記一端に位置するときは前記他端に位置する一方、該可動電源側端子１０２Ｂが前記他端に位置するときは前記一端に位置し、前記幅方向において、可動電源側端子１０２Ｂを移動させる方向とは反対の方向に隠し板１０５が移動する。
【００２９】
器体の幅方向における両端の周縁部には、前記隠し板１０５がいずれかの端部に位置したときに当接する壁部１０１ｂ１０、１０１ａ１０が、器体の前面側に突設形成されている。該壁部１０１ｂ１０、１０１ａ１０の突設高さは、隠し板１０５の側面部の厚みと同等に形成されており、隠し板１０５が当接したときに、該隠し板１０５の側面が外部に露出しないよう構成されている。
【００３０】
次に、可動電源側端子部１０２Ｂの位置を移動する場合について図８を用いて説明を行う。例として、図８（ａ）は、固定端子部１０２Ａには母線Ｌ２が接続され、可動電源側端子部１０２Ｂには母線Ｎと接続される場合（即ち供給される電圧は１００Ｖ）を示し、図８（ｂ）は、固定端子部１０２Ａには母線Ｌ２が接続され、可動電源側端子部１０２Ｂには母線Ｌ１と接続される場合（即ち供給される電圧は２００Ｖ）を示す。
【００３１】
まず、図８（ａ）は、固定端子部１０２Ａには母線Ｌ２が接続され、可動電源側端子部１０２Ｂには母線Ｎと接続される場合であるから、回路遮断器に供給される電圧値は１００Ｖとなる。器体の幅方向において隠し板１０５は可動電源側端子１０２Ｂとは反対側の端部に位置し、可動電源側端子部１０２Ｂの位置する側の電圧表示部１０７には、１００Ｖの文字が外部に露出して表示される。
【００３２】
次に、分電盤から回路遮断器を取り外し、端子に母線が接続されていない状態において、可動電源側端子１０２Ｂを（ａ）の初期位置から（ｂ）の他方の側面側にスライド移動させ始めると、可動電源側端子１０２Ｂの前面側に設けられたラック１０２Ｂ１とピニオン１０６の歯の噛み合いにより、ピニオンは図中において反時計回りに回転を始める。同時に、ピニオン１０６の歯と噛み合っている隠し板１０５の背面側に設けられたラック１０５ｂに力が伝達され、前記可動電源側端子１０２Ｂをスライド移動させる方向とは反対の方向に移動を始める。ラックとピニオンの歯は１対１で対応しているため、隠し板１０５の移動量と可動電源側端子部１０２Ｂの移動量は同じであり、可動電源側端子１０２Ｂを他方の側面側に移動させ終えた場合には、隠し板１０５も初期位置から他方の側面側に移動し終える。
【００３３】
図８（ｂ）の状態では、固定端子部１０２Ａには母線Ｌ２が接続され、可動電源側端子部１０２Ｂには母線Ｌ１と接続される場合であるから、回路遮断器に供給される電圧値は２００Ｖとなる。可動電源側端子部１０２Ｂの位置する側の前面側においては、可動電源側端子部１０２Ｂが位置しない側の電圧表示部１０７は隠し板１０５のベースにより隠蔽され、可動電源側端子部１０２Ｂが位置する側の電圧表示部１０７が現れている。この場合の電圧表示部１０７は２００Ｖの文字が表示される。
【００３４】
このように可動電源側端子部１０２Ｂと隠し板１０５とが互いに連動し、可動電源側端子１０２Ｂをスライド移動させる方向とは反対の方向に隠し板１０５が移動されるよう構成したから、作業者は可動電源側端子部の位置を的確に把握しやすく、可動電源側端子部１０２Ｂを母線と接続する一方の位置において、常にその前面側に、回路遮断器に供給される電圧値の表示の露出が行える。
他方の位置において回路遮断器に供給される電圧は前記隠し板１０５の背面側に位置して隠蔽されるよう構成したから、器体の前面側から端子部を臨んだ場合に、接続する母線の違いを、器体の前面に設けられた電圧表示の違い、即ち端子位置の違いとして目視確認することができ、端子装置と母線とを選択的に接続する場合や、端子装置と母線を接続した後であっても、どの回路遮断器がどの母線を選択して接続されているのかが直接的に把握しやすい。器体の端子部における前面側の、隠し板１０５に隠蔽されない側の略全面を電圧表示部として用いることができるため、電圧表示部を大きくとれ視認性がよく、作業をする者にとって接続母線や供給電圧の誤認を生じさせにくく、配線確認作業性が高い回路遮断器の端子構造を提供することができる。
【００３５】
なお、可動電源側端子部の刃受と回路遮断器内部の主導体とはより線により接続されており、前記幅方向に連続的に移動するときの妨げにならないよう、移動量分の余裕を持たせた長さとしている。
【００３６】
また、前記電圧表示部における電圧の表示は、文字による表示の他、器体の幅方向における略中央部を境に色分けを行ったり、その他接続する母線の種類を記載することにより行ってもよい。色分けは、給電電圧を識別するために赤と白、赤と黒というように、各々で色相を違えたり、また、明度、彩度を違えて構成するとよい。また、母線の種類をＬ１、Ｎというように表示したり、色分けと文字による表示を組み合わせて行ってもよい。
【００３７】
また、可動電源側端子１０２Ｂの移動に伴い隠し板１０５の移動が行われる際に、所定の位置に可動電源側端子１０２Ｂ及び隠し板１０５が到達したことを操作時に伝達すること、また、所定の位置に可動電源側端子１０２Ｂ及び隠し板１０５が到達しやすくすることを目的として、器体の電源側端子部１０２Ｂの前面側と隠し板１０５の背面側に夫々移動時に乗り越える突起部１０８ａ１、１０８ａ２、１０８ｂ、１０５ｃ１、１０５ｃ２を設けて構成している。可動電源側端子１０２Ｂを器体の幅方向に移動させる場合に連動して移動する隠し板１０５の背面側の突起が器体の前面側の突起と当接し乗り越えることにより、可動電源側端子１０２Ｂを一方の位置から他方の位置に移動させるときに、前記突起を乗り越えることにより適度なクリック感が得られ、作業者は、可動電源側端子部１０２Ｂを切替えたことを感覚的に認識することができ、同時に可動電源側端子１０２Ｂ及び隠し板１０５が所定の位置に到達しやすくなる。
【００３８】
また、隠し板１０５の前面側及び背面側には、前記器体の幅方向に溝部１０５ｄ、１０５ｅが設けられている。溝部を設けて、部分的に隠し板の厚みを薄くすることにより、前記突起同士が乗り越える際に、隠し板を弾性的に撓みやすくしている。
【００３９】
尚、本発明は、上記実施形態に限定されるものではなく、本発明の要旨を逸脱しない範囲で種々の変更が可能である。
【００４０】
前述した電圧表示部１０７は、文字、色彩による表示を行った例を示したが、回路遮断器が配設される分電盤の設置場所によっては薄暗い場所に設置されること可能性がある。このため、電圧表示部や第二の操作部の位置が作業者にとって明確には分かりにくくなる可能性があることに鑑み、回路遮断器１における前記可動電源側端子部１０２Ｂ側の器体内部の導体と前記固定端子部１０２Ａ側の器体内部の導体とから電源を得る発光手段を器体に配置し、該発光手段の発光により前記電圧表示部や第二の操作部の位置が認識しやすくなるよう構成してもよい。
【００４１】
例えば、図１０に示したように、器体の前面側に配置された突部壁面Ａに発光手段４００を配置して、該発光手段４００から器体の電源側端子側を照らすように構成するとよい。これにより、薄暗い場所においても、電源表示部１０７付近が発光手段４００により照らされることにより視認性が向上する。
【００４２】
発光手段４００は、前記可動電源側端子部１０２Ｂ側の器体内部の導体と前記固定端子部１０２Ａ側の器体内部の導体とから電力を得るため、それぞれの導体に接続された整流回路、抵抗回路を介して設けられる。発光手段としては、ＬＥＤやＥＬパネルなどを用いるとよい。
【００４３】
また、可動電源側端子部１０２Ｂの位置に応じて、回路遮断器に供給される電圧が変わることから、供給電圧の違いによって発光手段４００が破壊しないよう、定電流回路を設けて構成し、常に発光手段が発光するように構成するとよい。
【００４４】
また、発光手段を複数設けて、回路遮断器に供給される電圧に応じて、電流を供給するＬＥＤを違えるように構成してもよい。ＬＥＤの発光色を変えておくことにより、例えば、電圧が１００Ｖのときは白色、電圧が２００Ｖのときは赤色のＬＥＤが発光するように回路を設けてもよい。
【００４５】
また、この他、電圧表示部１０７に透過性を持たせて構成し、発光手段を該電圧表示部１０７の背面側に設けて、該背面側から前面側を照らすことにより、電圧表示部の文字や色彩が前面側から明確に分かるように構成してもよい。
【００４６】
例えば、電圧表示部１０７を光の透過性を持たせた樹脂製シートで構成するとよい。
【００４７】
図１２には、第１の形態の回路遮断器を複数並設した場合の図を示している。
いずれの場合においても、可動電源側端子部の位置により回路遮断器に接続する母線の種類や供給する電圧を回路遮断器の前面側から一目瞭然に識別することができる。
このように、個々の回路遮断器に対して、接続する母線の種類や供給する電圧の大きさが識別しやすいことに加え、複数の回路遮断器を並設配置した場合においても、どの回路遮断器がどの母線を選択して接続しているのか、どの回路遮断器にいくらの電圧が供給されているのかが直接的に把握しやすい。
【産業上の利用可能性】
【００４８】
本発明は、分電盤に設けられる通常の回路遮断器に適用可能であり、２極回路遮断器のほか、例えば、３極回路遮断器などにも適用が可能である。前記共通端子部や可動電源側端子部が複数個設けられている場合には、それぞれの可動電源側端子部が器体の幅方向に移動する形態の他、器体の幅方向の移動に伴い、可動電源側端子部が器体の前面側から背面側の方向に変位するよう、斜め方向に移動できるように移動方向を形成してもよい。
【符号の説明】
【００４９】
１  回路遮断器
１０１ａ  ケース
１０１ａ１０  壁部
１０１ｂ  ケース
１０１ｂ１０  壁部
１０１ｂ３  開口部
１０１ｃ  溝部
１０１ｄ  軸受部
１０１ｅ  柱状部材受部
１０１ｆ  突部
１０１ｇ  軸受部
１０１ｈ  溝部
１０１ｉ  孔部
１０２  電源側端子部
１０２Ａ  固定端子部
１０２Ａ１  導体
１０２Ｂ  可動電源側端子部
１０２Ｂ１  ラック
１０２Ｂ２  リブ
１０２Ｂ３  刃受
１０２Ｂ５  軸受部
１０３  負荷側端子部
１０４  ハンドル
１０５  隠し板
１０５ｂ  ラック
１０５ｂ１  リブ
１０５ｃ  突起部
１０５ｄ  溝部
１０５ｅ  溝部
１０６  ピニオン
１０６ａ  軸
１０７  電圧表示部
１０８ａ  突起部
【図１】
0005863090.tif 000002
【図２】
0005863090.tif 000003
【図３】
0005863090.tif 000004
【図４】
0005863090.tif 000005
【図５】
0005863090.tif 000006
【図６】
0005863090.tif 000007
【図７】
0005863090.tif 000008
【図８】
0005863090.tif 000009
【図９】
0005863090.tif 000010
【図１０】
0005863090.tif 000011
【図１１】
0005863090.tif 000012
【図１２】
0005863090.tif 000013
【図１３】
0005863090.tif 000014
【図１４】
0005863090.tif 000015